【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
ポリオレフィン樹脂と化学的に変性したポリオレフィン樹脂とのブレンド物から成り、前記変性ポリオレフィン樹脂は、シクロデキストリン化合物を含むペンダントしたランダムに置換された共有結合基を含むポリメチレン主鎖を含む、熱可塑性ポリマー組成物において、前記シクロデキストリン化合物が、シクロデキストリン環の中央の細孔の中に実質的に化合物を含まないことを特徴とする熱可塑性ポリマー組成物。
【請求項２】
組成物が約１００重量部のポリオレフィン樹脂と約０．０１〜１０重量部の変性したポリオレフィンとを含み；前記ポリオレフィンのメルトインデックスが約０．５〜１００ｇ／１０分であり、前記変性したポリオレフィンがメルトインデックス約０．７〜２００g／１０分のポリオレフィンから誘導される、請求項１に記載の熱可塑性ポリマー組成物。
【請求項３】
前記ポリオレフィンのメルトインデックスが約１〜７５ｇ／１０分であり、前記変性したポリオレフィンがメルトインデックス約１〜１００g／１０分のポリオレフィンから誘導される、請求項１に記載の熱可塑性ポリマー組成物。
【請求項４】
前記変性したポリオレフィンが無水マレイン酸変性したポリオレフィンに結合したシクロデキストリンを含み、ここで前記ポリオレフィンが約０．０２〜５重量パーセントの無水マレイン酸を含む、請求項１に記載の熱可塑性ポリマー組成物。
【請求項５】
シクロデキストリン化合物が、シクロデキストリン内のグルコース部分の２位、３位または６位にある少なくとも１つの−ＯＨ基の上に実質的に置換基を有する、請求項１に記載の熱可塑性ポリマー組成物。
【請求項６】
主寸法が約１０ミリメートル未満で、重量が約２０〜５０ミリグラムの成形したポリオレフィン樹脂粒子から成るチップであって、前記チップはポリオレフィン樹脂と変性したポリオレフィン樹脂とのブレンド物から成り、前記変性ポリオレフィン樹脂は、シクロデキストリン化合物から誘導されたペンダントしたランダムに置換された共有結合基を含むポリメチレン主鎖を含み、前記チップは約１００重量部のポリオレフィン樹脂と約０．０１〜１０重量部の変性ポリオレフィンとを含むチップにおいて、前記シクロデキストリン化合物が、シクロデキストリン環の中央の細孔の中に実質的に化合物を含まないことを特徴とするチップ。
【請求項７】
ポリオレフィンウェブにより取り囲まれた密閉容積を含む容器であって、前記ウェブはポリオレフィン樹脂と変性したポリオレフィン樹脂とのブレンド物を含み、前記変性ポリオレフィン樹脂は、シクロデキストリン化合物から誘導されたペンダントしたランダムに置換された共有結合基を含むポリメチレン主鎖を含み、前記チップは約１００重量部のポリオレフィン樹脂と約０．０１〜１０重量部の変性ポリオレフィンとを含む容器において、前記シクロデキストリン化合物が、シクロデキストリン環の中央の細孔の中に実質的に化合物を含まないことを特徴とする容器。
【請求項８】
前記ポリオレフィンが、約０．５〜１００ｇ／１０分のメルトインデックスを有するポリオレフィンを含む、請求項７に記載の容器。
【請求項９】
ポリオレフィン樹脂と変性したポリオレフィン樹脂とのブレンド物から成るフィルムであって、前記変性ポリオレフィン樹脂は、シクロデキストリン化合物から誘導されたペンダントしたランダムに置換された共有結合基を含むポリメチレン主鎖を含み、前記フィルムは約１００重量部のポリオレフィン樹脂と約０．０１〜１０重量部の変性ポリオレフィンとを含むフィルムにおいて、前記シクロデキストリン化合物が、シクロデキストリン環の中央の細孔の中に実質的に化合物を含まないことを特徴とするフィルム。
【請求項１０】
前記ポリオレフィンが、約０．５〜１００ｇ／１０分のメルトインデックスを有する、請求項９に記載のフィルム。
【請求項１１】
ポリオレフィン樹脂と変性したポリオレフィン樹脂とのブレンド物から成る熱可塑性ポリマー組成物であって、前記変性ポリオレフィン樹脂が、マレイン酸残基を介してポリマーの主鎖炭素に結合されるか、またはマレイン酸残基を介してペンダントした基の炭素に結合されたシクロデキストリンを含む熱可塑性ポリマー組成物において、前記シクロデキストリン化合物が、シクロデキストリン環の中央の細孔の中に実質的に化合物を含まないことを特徴とする熱可塑性ポリマー組成物。
【請求項１２】
前記組成物が、約１００重量部のポリオレフィン樹脂と約０．０１〜１０重量部の変性したポリオレフィンとを含み、前記ポリオレフィンが、約０．５〜１５０ｇ／１０分のメルトインデックスを有するポリオレフィンを含み、そして、前記変性したポリオレフィンが、メルトインデックス約０．７〜２００ｇ／１０分のポリオレフィンから誘導される、請求項１１に記載の熱可塑性ポリマー組成物。
【請求項１３】
前記ポリオレフィンのメルトインデックスが約１〜７５ｇ／１０分であり、前記変性したポリオレフィンがメルトインデックス約１〜１００g／１０分のポリオレフィンから誘導される、請求項１２に記載の熱可塑性ポリマー組成物。
【請求項１４】
前記変性したポリオレフィンが約０．１〜８重量％のシクロデキストリンで変性したポリオレフィンを含む、請求項１１に記載の熱可塑性ポリマー組成物。
【請求項１５】
主寸法が約１０ミリメートル未満で、重量が約１５〜５０ミリグラムの成形したポリオレフィン樹脂チップを含む熱可塑性ポリマーチップであって、前記チップはポリオレフィン樹脂と変性したポリオレフィン樹脂とを含み、前記変性ポリオレフィン樹脂は、マレイン酸残基を介してポリマーの主鎖炭素に結合されるか、またはマレイン酸残基を介してペンダントした基の炭素に結合されたシクロデキストリンを含む熱可塑性ポリマーチップにおいて、前記シクロデキストリン化合物が、シクロデキストリン環の中央の細孔の中に実質的に化合物を含まないことを特徴とする熱可塑性ポリマーチップ。
【請求項１６】
シクロデキストリン化合物を含むランダムに置換された共有結合基を含むポリメチレン主鎖を含む変性したポリオレフィン樹脂から成る熱可塑性ポリマー組成物において、前記シクロデキストリン化合物が、シクロデキストリン環の中央の細孔の中に実質的に化合物を含まないことを特徴とする熱可塑性ポリマー組成物。
【請求項１７】
前記変性したポリオレフィンが無水マレイン酸変性したポリオレフィンに結合したシクロデキストリンを含み、ここで前記ポリオレフィンが約０．０２〜５重量パーセントの無水マレイン酸を含み、そして前記ポリオレフィンのメルトインデックスが約１〜７５ｇ／１０分であり、前記変性ポリオレフィンがメルトインデックス約１〜１００ｇ／１０分のポリオレフィンから誘導される、請求項１６に記載の熱可塑性ポリマー組成物。
【請求項１８】
前記チップが、ポリオレフィン樹脂と前記変性ポリオレフィン樹脂のコーティングとを含む、請求項１５に記載の熱可塑性チップ。
【請求項１９】
前記チップが、前記ポリオレフィン樹脂と前記変性ポリオレフィン樹脂とのブレンド物を含む、請求項１５に記載の熱可塑性チップ。
【請求項２０】
前記変性ポリマーのコーティングの量が、前記ポリオレフィン樹脂と組み合わせてブレンド物を形成させたときに、前記ブレンド物が前記変性したポリマーを約０．０１〜１０重量％の量で含むように選択される、請求項１８に記載の熱可塑性チップ。
【請求項２１】
バリアー材料を製造する方法であって、
（ａ）ポリマーと変性したポリマーとを組み合わせる工程であって、前記変性したポリマーには、無水マレイン酸残基を介して前記ポリマーの主鎖に結合されるか、または無水マレイン酸残基を介してペンダントした基の中の炭素に結合されたシクロデキストリンを含むが；ここで、前記シクロデキストリン化合物が、前記シクロデキストリン環の中央の細孔の中に実質的に化合物を含まない、工程と、
（ｂ）前記ポリマーおよび変性したポリマーを押出し成形して、変性したポリマーを約０．０１〜１０重量％含むバリアー組成物を形成させる工程と、
から成るバリアー材料製造方法。